(57)【要約】      （修正有）【課題】手間を掛けることなく簡単に、机の下の電源ケーブルやアダプターの見苦しい状態を解消する。【解決手段】電源ケーブル収納器は、断面弓型形状の外曲部分１１と、この外曲部分の下端に接続しており、下端から内側水平方向に延長した支持部分１２とからなる。外曲部分の上端には複数の切欠き部分１４が形成されており、電源ケーブル収納器の使用状態において、支持部分は床に平置きされ、外曲部分は、その断面が床から上方に円弧を描くように延び且つ上端が壁に接するような位置に置かれる。壁と切欠き部分との間に電源ケーブルの取り出し口が形成される。【選択図】図１
2015056968.tif 000002
【特許請求の範囲】
【請求項１】
断面弓型形状の外曲部分と、この外曲部分の下端に接続しており、前記下端から内側水平方向に延長した支持部分とからなり、内部にテーブルタップ、プラグおよび電源ケーブルを収納できる電源ケーブル収納器であって、前記外曲部分の上端には複数の切欠き部分が形成されており、前記電源ケーブル収納器の使用状態において、前記支持部分は床に平置きされ、前記外曲部分は、その断面が前記床から上方に円弧を描くように延び且つ上端が壁に接するような位置に置かれ、前記壁と前記切欠き部分との間に電源ケーブルの取り出し口が形成されることを特徴とする電源ケーブル収納器。
【請求項２】
前記外曲部分には、その横方向の縁部にも切欠き部分が形成されており、前記外曲部分の横方向端部が、壁に接するような位置に置かれた場合には、横方向においても、壁と切欠き部分との間に電源ケーブルの取り出し口が形成されることを特徴とする請求項１に記載の電源ケーブル収納器。
【請求項３】
前記支持部分の縁部には第１の連結手段が設けられており、この電源ケーブル収納器を複数連結することで、長さ方向に延長することができることを特徴とする請求項２に記載の電源ケーブル収納器。
【請求項４】
前記支持部分の縁部には第２の連結手段が設けられており、２つの電源ケーブル収納器を連結してトンネル状とすることで、壁に接しない状態でも内部にテーブルタップ、プラグおよび電源ケーブルを収納できることを特徴とする請求項３に記載の電源ケーブル収納器。
【請求項５】
前記第１の連結手段と第２の連結手段は、磁石を利用したものであることを特徴とする請求項４に記載の電源ケーブル収納器。
【発明の詳細な説明】
【技術分野】
【０００１】
本発明は、オフィスなどで机の下が見苦しくなってしまう状態を解消することのできる電源ケーブル収納器に関する。
【背景技術】
【０００２】
デスクトップ型パソコンを用いている場合、モニター、プリンター、ルーターなど、数多くの周辺機器が利用されていることが多い。更に照明スタンドや、携帯端末の充電器、固定電話など、机の上または周囲には、様々な電気製品が設置利用されている。
【０００３】
その場合、それらの機器は、電源ケーブルを利用して電力供給をおこなっており、多くの電源ケーブルが、テーブルタップなどを経由してコンセントに接続している。一般にこれらの電源ケーブルは、必要以上に長めとなっており、途中に変換アダプターも利用されていることも多い。その為、机の下などは互いに絡み合い混み合って非常に見苦しい状態となってしまうこともしばしばである。
【０００４】
この為、例えば特許文献１にあるようなボックス状の収納手段に電源ケーブルを整理しておき、見苦しい状態を見えないようにする方法が提案されている。また、このようなボックスは多数市販されている。
【先行技術文献】
【特許文献】
【０００５】
【特許文献１】特開２００４−２８３０００
【発明の概要】
【発明が解決しようとする課題】
【０００６】
しかしながら、パソコンの周辺機器などでは、追加や変更または移動などでプラグの差し替えや追加などは良くなされる。ボックス状の収納手段を用いた場合、いちいち中を開けて、再度収納をしなおさなければならない。その為、忙しい時など、ボックスの外にも重ねたりして、より乱雑な様相となっていた。
【０００７】
そこで、本発明の目的は、手間を掛けることなく簡単に、机の下の電源ケーブルやアダプターの見苦しい状態を解消できる電源ケーブル収納器を提供することである。
【０００８】
本発明の別の目的は、新たな電気製品の追加や構成変更が、手間なく簡単に行うことの出来る電源ケーブル収納器を提供することである。
【０００９】
本発明の更に別の目的は、多くの電源ケーブルが置かれた机の下の掃除を楽に簡単に行うことの出来る電源ケーブル収納器を提供することである。
【課題を解決するための手段】
【００１０】
上記課題を解決するために、本発明の電源ケーブル収納器は、断面弓型形状の外曲部分と、この外曲部分の下端に接続しており、前記下端から内側水平方向に延長した支持部分とからなり、内部にテーブルタップ、プラグおよび電源ケーブルを収納できる電源ケーブル収納器であって、前記外曲部分の上端には複数の切欠き部分が形成されており、前記電源ケーブル収納器の使用状態において、前記支持部分は床に平置きされ、前記外曲部分は、その断面が前記床から上方に円弧を描くように延び且つ上端が壁に接するような位置に置かれ、前記壁と前記切欠き部分との間に電源ケーブルの取り出し口が形成されることを特徴とする。
【００１１】
また、好ましい実施例では、前記外曲部分には、その横方向の縁部にも切欠き部分が形成されており、前記外曲部分の横方向端部が、壁に接するような位置に置かれた場合には、横方向においても、壁と切欠き部分との間に電源ケーブルの取り出し口が形成されていることを特徴とする。
【００１２】
更に、好ましい実施例では、前記支持部分の縁部には第１の連結手段が設けられており、この電源ケーブル収納器を複数連結することで、長さ方向に延長することができることを特徴とする。
【００１３】
更に、好ましい実施例では、前記支持部分の縁部には第２の連結手段が設けられており、２つの電源ケーブル収納器を連結してトンネル状とすることで、壁に接しない状態でも内部にテーブルタップ、プラグおよび電源ケーブルを収納できることを特徴とする。
【００１４】
更に、好ましい実施例では、前記第１の連結手段と第２の連結手段は、磁石を利用したものであることを特徴とする。
【発明の効果】
【００１５】
本発明に係わる電源ケーブル収納器を用いれば、手間を掛けることなく簡単に、机の下の電源ケーブルやアダプターの見苦しい状態を解消でき、しかも、掃除の手間も大幅に削減することが出来る。
【図面の簡単な説明】
【００１６】
【図１】図１は、本発明に係わる実施例の電源ケーブル収納器を示す斜視図である。
【図２】図２は、本発明に係わる実施例の電源ケーブル収納器を示す正面図である。
【図３】図３は、本発明に係わる実施例の電源ケーブル収納器を示す背面図である。
【図４】図４は、本発明に係わる実施例の電源ケーブル収納器を示す右側面図である。
【図５】図５は、本発明に係わる実施例の電源ケーブル収納器を示す左側面図である。
【図６】図６は、本発明に係わる実施例の電源ケーブル収納器を示す平面図である。
【図７】図７は、本発明に係わる実施例の電源ケーブル収納器を示す底面図である。
【図８】図８は、本発明に係わる実施例の電源ケーブル収納器の使用状態を示す図である。
【図９】図９は、本発明に係わる実施例の電源ケーブル収納器の使用状態を示す側面図である。
【図１０】図１０は、本発明に係わる実施例の電源ケーブル収納器の面取りされた外曲部分の端部を示す断面図である。
【図１１】図１１は、本発明に係わる実施例の電源ケーブル収納器の面取りされた外曲部分の端部を示す断面図である。
【図１２】図１２は、本発明に係わる実施例の電源ケーブル収納器の面取りされた外曲部分の端部を示す断面図である。
【図１３】図１３は、本発明に係わる実施例の電源ケーブル収納器の変形例を示す斜視図である。
【図１４】図１４は、本発明に係わる実施例の電源ケーブル収納器であって、連結する為の磁石を設けた例を示す説明図である。
【図１５】図１５は、本発明に係わる実施例の電源ケーブル収納器であって、横方向に連結する方法を示す説明図である。
【図１６】図１６は、本発明に係わる実施例の電源ケーブル収納器であって、横方向に複数連結した例を示す斜視図である。
【図１７】図１７は、本発明に係わる実施例の電源ケーブル収納器であって、前後方向に複数連結する方法を示す説明図である。
【図１８】図１８は、本発明に係わる実施例の電源ケーブル収納器であって、前後方向に連結した状態を示す説明図である。
【図１９】図１９は、本発明に係わる実施例の電源ケーブル収納器であって、前後方向に複数連結した例を示す斜視図である。
【図２０】図２０は、本発明に係わる実施例の電源ケーブル収納器を複数連結する際に利用する連結手段の他のを示す図である。
【発明を実施するための形態】
【００１７】
以下、図を参照しながら本発明の電源ケーブル収納器の具体例を説明する。図１は、本発明の実施例による電源ケーブル収納器を示す斜視図である。また、図２、図３、図４、図５、図６、図７は、夫々、この電源ケーブル収納器１０の正面図、背面図、右側面図、左側面図、平面図および底面図である。ここで、左側面図は、右側面図と対象となっている。
【００１８】
この電源ケーブル収納器１０は、円筒を軸方向と平行に９０度間隔で１／４等分した断面弓型形状の外曲部分１１と、この外曲部分１１の下端から９０度の角度で内側に折れ曲がり、そのまま水平方向に外曲部分１１の半径分だけ延長した支持部分１２とからなっている。
【００１９】
外曲部分１１と支持部分１２はプラスチックなどの樹脂で一体的に作られており、足を載せても破損しない程度の強度を持っている。サイズとしては、足元で邪魔にならない程度とし、例えば、高さ１０ｃｍ、幅６０ｃｍ、奥行き１０ｃｍとする。
【００２０】
また、外曲部分１１の上端には、複数の切欠き部分１４が設けられている。この例では、直径５ｃｍの半円の切欠き部分が、１０ｃｍの間隔を開けて設けられている。また、外曲部分１１の、両サイド下部に２箇所、やはり直径５ｃｍの半円形切欠き部分１６が設けられている。幅が広くなれば、切欠き部分１４の数を増やして、収納可能な電源ケーブルを多くすることができる。
【００２１】
図８に示したように、事務机などの足元には、テーブルタップ２０や多数のプラグ２２から、蜘蛛の巣状に電源ケーブル２４を伸ばしていることがある。このような場合、テーブルタップ２０、プラグ２２、電源ケーブル２４を、電源ケーブル収納器１０の中に入れてしまう。そして、図９に示したように、電源ケーブル収納器１０を、向かい側の壁３１に接するようにして設置する。このような状態で、壁３１と半円形の切欠き部分１４との間に電源ケーブルの取り出し口としての貫通孔３５が形成される。内部の電源ケーブル２４は、この取り出し口を通って、外へ取り出される。
【００２２】
特に、外曲部分１１と接続していない側の支持部分１２の端部１３を、図１０、図１１または図１２の断面図に示したように、上側を面取り１３ａ、１３ｂまたは１３ｃを設けるようにすると良い。この場合、テーブルタップ２０、プラグ２２、電源ケーブル２４と床との間に、支持部分１２の端部１３を差し入れるようにして、この電源ケーブル収納器１０を床にそって前方の壁３１まで滑らすようにすれば、設置は非常に簡単である。
【００２３】
このようにすることで机の下の見苦しい状況を解消することが出来る。電源ケーブル２４の構成の変更は、電源ケーブル収納器１０を手前にずらせて行えば良い。もしも、電源ケーブル収納器１０にケーブル引き出し用の独立した閉じた穴を設けている場合には、構成の変更には、このような穴からの電源ケーブルの出し入れを行わねばならず甚だ面倒である。しかし、ここでは穴ではなく切欠き部分１４を用いて、電源ケーブルの出し入れを行っているので、電源ケーブル収納器１０を壁から離すだけで電源ケーブルは自由となる。従って、構成の変更は、電源ケーブル収納器１０を用いない場合とほぼ同じとなり、手間はかからない。
【００２４】
更に、このようなテーブルタップ２０、プラグ２２および電源ケーブル２４が床に置かれている場合、どうしても電源ケーブルの間や床の上などに埃が集まってしまう。このような状態では、掃除は非常に大変である。しかし、電源ケーブル収納器１０を利用すれば、内部には埃はたまりにくく、長い間に埃はたまっても、適宜電源ケーブル収納器１０を手に取って、その中を掃除すれば良い。また、床は、電源ケーブル収納器１０を上にあげて拭けば良い。
【００２５】
なお、外曲部分１１の横方向の縁部にも、切欠き部分１６が設けられている。これは、前方だけでなく横方向の壁にも接するように電源ケーブル収納器１０を設置した場合に、横方向の壁との間にケーブル引き出し用の開口を設けるためのものである。
【００２６】
図１３は、本発明の電源ケーブル収納器の変形例を示す斜視図である。この変形例では、上記のような外曲部分１１と同じ幅を持つ支持部分１２の代わりに、２枚の細長い脚部１８を設けたものである。このような構成により、材料費を削減できる。
【００２７】
また、図１４に示したように、支持部分１２の四隅に磁石１２ｍを設けておくようにしても良い。この場合、図１５に示したように、電源ケーブル収納器１０を長さ方向に並べて、この磁石１２ｍによって互いに接続することが出来る。これにより長さ２倍の電源ケーブル収納器となる。もちろん、図１６に示したように、３つ以上の電源ケーブル収納器１０を連結して、更に必要な長さに拡張することも可能である。
【００２８】
更に、オフィスなどでは、事務机が向かい合って並んでいることも多い。向かい合う事務机の下では、真ん中に電源ケーブルやテーブルタップなどが密集することになる。このような場合には、図１７に示したように、２つの電源ケーブル収納器１０を向かい合わせに連結する。この場合でも、磁石１２ｍによって２つの電源ケーブル収納器１０が固定され、図１８に示したようなトンネル状の電源ケーブル収納器が構成される。
このような構成により、壁がなくても電源ケーブルやテーブルタップなどを収納することができる。連結した電源ケーブル収納器１０の上部では、切欠き部分１４が合わさって円形のケーブル引き出し用の貫通孔となる。やはり、図１９に示したように、このトンネル状の電源ケーブル収納器も、磁石１２ｍによって長さ方向にも複数連結して、容易にトンネルの長さを拡張することが出来る。
【００２９】
なお、上記例では、電源ケーブル収納器１０を連結する手段として磁石１２ｍを利用しているが、一般的に知られた他の連結手段を利用してもよい。例えば、図２０に示したように、支持部分１２の四隅を互いに連結する為の雄雌のフック１２ｆ、１２ｘを設ける。この図では、支持部分１２の下方向の辺が外曲部分１１と接続する辺となっており、やはり、このフック１２ｆ、１２ｘを用いて、長さ方向と奥行方向の双方について電源ケーブル収納器１０の連結が可能となっている。
【００３０】
この連結手段では、雄雌のフック１２ｆ、１２ｘの位置を合わせてから、指で互いに嵌め入れる必要がある。従って、磁石１２ｍを利用した場合に比較して若干手間がかかる。しかし、単に支持部分１２の平面形状を変えるだけなので実質的なコストアップはなく安価に製造できるというメリットがある。
【産業上の利用可能性】
【００３１】
本発明に係わる電源ケーブル収納器を用いれば、手間を掛けることなく簡単に、机の下の電源ケーブルやアダプターの見苦しい状態を解消できる。また、従来手間のかかっていた、机の下の掃除が格段に楽になる。
【符号の説明】
【００３２】
１０  電源ケーブル収納器
１１  外曲部分
１２  支持部分
１２ｍ  磁石
１２ｆ  雌フック
１２ｘ  雄フック
１３  支持部分の端部
１３ａ  支持部分の面取り部分
１３ｂ  支持部分の面取り部分
１３ｃ  支持部分の面取り部分
１４  切欠き部分
１６  切欠き部分
１８  脚部
２０  テーブルタップ
２２  プラグ
２４  電源ケーブル
３１  壁
３５  貫通孔
【図１】
2015056968.tif 000003
【図２】
2015056968.tif 000004
【図３】
2015056968.tif 000005
【図４】
2015056968.tif 000006
【図５】
2015056968.tif 000007
【図６】
2015056968.tif 000008
【図７】
2015056968.tif 000009
【図８】
2015056968.tif 000010
【図９】
2015056968.tif 000011
【図１０】
2015056968.tif 000012
【図１１】
2015056968.tif 000013
【図１２】
2015056968.tif 000014
【図１３】
2015056968.tif 000015
【図１４】
2015056968.tif 000016
【図１５】
2015056968.tif 000017
【図１６】
2015056968.tif 000018
【図１７】
2015056968.tif 000019
【図１８】
2015056968.tif 000020
【図１９】
2015056968.tif 000021
【図２０】
2015056968.tif 000022